(57)【要約】【課題】  二段階式爆薬点火装置において、入力エネルギの低減を実現する。【解決手段】  頂部１１を有するケース１０内に二段目の爆薬１４を充填し、次いでリング状のスペーサ１５を挿入してまわりを押さえ、二段目の爆薬を保持する。その後、二段目の爆薬との間にスペーサを挟んで火薬ホルダ１８を挿入する。火薬ホルダは、中心孔に一段目の爆薬２０を充填し、その一段目の爆薬に隣接して設けてその上にフライヤ２１を固定する。そして、フライヤをスペーサ内の運動空間１６内に配置する。それから、一段目の爆薬の外側に点火素子２２を入れ、その点火素子の電気接続端子２３を外部に引き出してケースの入口を絶縁物２４で密閉する。【選択図】      図１
2005155968.tif 000002
【特許請求の範囲】
【請求項１】
点火素子を作動して一段目の爆薬を発火して後、そのエネルギを受けて二段目の爆薬を発火する二段階式爆薬点火装置において、
前記点火素子を作動したとき、前記一段目の爆薬を爆燃して前記二段目の爆薬の方向に加速することによりその二段目の爆薬に衝突し、前記一段目の爆薬の爆燃エネルギを受けて前記二段目の爆薬を爆ごうするフライヤを備えることを特徴とする、二段階式爆薬点火装置。
【請求項２】
前記点火素子として、薄膜抵抗体素子を使用することを特徴とする、請求項１に記載の二段階式爆薬点火装置。
【請求項３】
前記点火素子として、半導体ブリッジ素子を使用することを特徴とする、請求項１に記載の二段階式爆薬点火装置。
【請求項４】
前記一段目の爆薬と前記二段目の爆薬との間に、前記フライヤの運動領域である運動空間を有するスペーサを備え、その運動空間内に前記フライヤを配置することを特徴とする、請求項１ないし３のいずれか１に記載の二段階式爆薬点火装置。
【請求項５】
前記スペーサに前記フライヤを同一材料を用いて一体に形成することを特徴とする、請求項４に記載の二段階式爆薬点火装置。
【請求項６】
前記スペーサに、前記一段目の爆薬を保持する火薬ホルダを同一材料を用いて一体に形成することを特徴とする、請求項４または５に記載の二段階式爆薬点火装置。
【請求項７】
頂部を有するケース内に二段目の爆薬を充填し、次いでスペーサを介して火薬ホルダを挿入して前記スペーサの運動空間内に配置したフライヤを、前記火薬ホルダで保持する一段目の爆薬に隣接して設け、その一段目の爆薬の外側に点火素子を入れてから、その点火素子の電気接続端子を外部に引き出して前記ケースの入口を絶縁物で密閉することを特徴とする、二段階式爆薬点火装置の製造方法。
【発明の詳細な説明】
【技術分野】
【０００１】
この発明は、点火素子を作動して一段目の爆薬を発火して後、そのエネルギを受けて二段目の爆薬を発火する二段階式爆薬点火装置に関する。例えばエアバックを膨らませる自動車用安全装置や、軍事用として使用する起爆機構の電気式爆薬点火装置に関する。および、その二段階式爆薬点火装置の製造方法に関する。
【背景技術】
【０００２】
従来、自動車搭載の安全装置や軍事兵器などに使用する起爆機構の爆薬点火装置としては、一次爆薬（起爆薬）を利用した感度の高い爆薬点火装置が主流であるが、他に一次爆薬は使用せずに二次爆薬（さく薬）のみを利用することで感度を低くし、取り扱い上の安全性を高めた爆薬点火装置がある。
【０００３】
前者の爆薬点火装置は、熱やスパークにより一次爆薬を爆ごうする。これに対し、後者の爆薬点火装置は、抵抗体である低抵抗層に過電流を流すことにより、それを加熱し、溶融し、最後に蒸発し、その際に発生する高圧ガスのエネルギによって低抵抗層の表面に形成されている薄膜を二次爆薬の方向へ加速し、二次爆薬に衝突してその運動エネルギにより二次爆薬を爆ごうする。ここで、この加速する薄膜のことをフライヤと呼ぶ。
【０００４】
後者の爆薬点火装置では、そのフライヤの運動エネルギにより低感度の二次爆薬を直接爆ごうするわけであるが、低感度の爆薬を直接爆ごうするには、圧力にして数十ＭＰａ〜百数十ＭＰａの力を持ってフライヤを二次爆薬に衝突する必要がある。
【０００５】
フライヤの持つ運動エネルギを決める変数の一つとしてフライヤの速度がある。フライヤの速度は、蒸発する低抵抗層の体積や蒸気圧に依存するが、中でも蒸発する低抵抗層の体積は、低抵抗層の体積（低抵抗層の表面積と低抵抗層の厚みの積）以外に、低抵抗層を加熱するためにこれに与える電気エネルギにも依存する。つまり、低抵抗層に与える電気エネルギが大きいほど、低抵抗層の発熱量も大きいので、結果的に蒸発する低抵抗層の体積も増加する。
【０００６】
蒸発する低抵抗層の体積が増加すれば、そこに発生する高圧ガスも増加し、結果的にフライヤに与えるエネルギも増加する。数十ＭＰａ〜百数十ＭＰａの圧力を発生するような力をフライヤに持たせるためには、１Ｊ以上の電気エネルギを低抵抗層に加える必要があり、このような電気エネルギを得るためには数kＶの電圧をコンデンサに充電する必要がある。例えば、ジョン エイチ ヘンダーソン（Jhon H.Henderson）とトーマス エイ バギンスキー（Thomas A.Baginski）らによる論文「トウー ノベル モノリシック サブストレイト スレイパー デトネイターズ（Two Novel Monolithic Substrate Slapper Detonators）」に記載の爆薬点火装置は、１kＶの電圧をコンデンサに充電し、１Ｊの電気エネルギを供給している。
【０００７】
このような爆薬点火装置では、低抵抗層およびその周囲の材質や構造を見直したり、フライヤの材質や形状を見直すことにより入力エネルギ（電気エネルギ）の低減が可能である。
【０００８】
【特許文献１】特開２０００-２８２９８号公報  例えば特許文献１に記載の半導体点火装置などでは、低抵抗層の下部を絶縁層や多孔質膜や中空層とすることで熱絶縁し、低抵抗層からの熱伝導の防止を図っている。しかしながら、このような爆薬点火装置などでも、低抵抗層上部の大気圧中への熱放射は避けられず、さらなる入力エネルギの低減には限界があった。
【０００９】
【特許文献２】特開２００１-２４１８９６号公報  また、特許文献２に記載のチタン半導体ブリッジの点火装置では、低抵抗層を負の電気伝導度係数を持つ材料（例えばケイ素）とチタンとを組み合わせて形成しているが、これはチタンの融点がケイ素の気化温よりはるかに低いため、チタンが気化することにより形成されるプラズマの発生をケイ素が妨げないことと、チタンは大気中の酸素および／または窒素との発熱反応に酸化することを利用して入力エネルギを低減することを目的としている。しかしながら、このような点火装置でも、莫大な開発経費を費やして新たな材料を開発しない限り、さらなる入力エネルギの低減には限界があった。
【００１０】
従来の爆薬点火装置の中には、さらに図７に示すような二段階式のものもあった。この種の爆薬点火装置では、頂部を有するケース１内に二段目の爆薬２を充填し、次いで一段目の爆薬３を保持する火薬ホルダ４を挿入し、一段目の爆薬３の外側に点火素子５を入れてから、その点火素子５の電気接続端子６を外部に引き出して前記ケース１の入口側を絶縁物７で密閉していた。
【００１１】
そして、電気接続端子６を介して点火素子５に１Ｊの電気エネルギ（１kＶの電圧をコンデンサに充電）を与え、点火素子５を作動して一段目の爆薬３を爆ごうし、続いてそのエネルギを受けて二段目の爆薬２も爆ごうしていた。ここで、点火素子５に０．７Ｊの電気エネルギ（０．８kＶの電圧をコンデンサに充電）を与えると、点火素子５を作動して一段目の爆薬３を爆燃し、続いてそのエネルギを受けて二段目の爆薬２が反応したが、爆ごうはせずに爆燃だけであった。
【発明の開示】
【発明が解決しようとする課題】
【００１２】
上述したとおり、特許文献１や特許文献２に記載の従来の点火装置では、さらなる入力エネルギの低減には限界があった。また、図７に示す従来の点火装置では、０．７Ｊの電気エネルギでは、二段目の爆薬２を爆ごうさせることができず、１Ｊ以上の電気エネルギを必要とする問題があった。
【００１３】
そこで、この発明の目的は、特に二段階式爆薬点火装置において、入力エネルギの低減を実現することにある。
【課題を解決するための手段】
【００１４】
かかる目的を達成すべく、この発明の第１態様では、点火素子を作動して一段目の爆薬を発火して後、そのエネルギを受けて二段目の爆薬を発火する二段階式爆薬点火装置において、前記点火素子を作動したとき、前記一段目の爆薬を爆燃して前記二段目の爆薬の方向に加速することによりその二段目の爆薬に衝突し、前記一段目の爆薬の爆燃エネルギを受けて前記二段目の爆薬を爆ごうするフライヤを備える、ことを特徴とする。
【００１５】
そして、点火素子を作動したとき、一段目の爆薬を爆ごうせずに爆燃し、その爆燃エネルギを受けてフライヤを二段目の爆薬の方向に加速し、その二段目の爆薬に衝突して該二段目の爆薬を爆ごうする。
【００１６】
点火素子として、薄膜抵抗体素子を使用したり、半導体ブリッジ素子を使用したりするとよい。
【００１７】
一段目の爆薬と二段目の爆薬との間に、フライヤの運動領域である運動空間を有するスペーサを備え、その運動空間内にフライヤを配置するとよく、スペーサにフライヤを同一材料を用いて一体に形成するとよい。また、スペーサには、一段目の爆薬を保持する火薬ホルダを同一材料を用いて一体に形成するとよい。
【００１８】
この発明の第２態様である二段階式爆薬点火装置の製造方法では、頂部を有するケース内に二段目の爆薬を充填し、次いでスペーサを介して火薬ホルダを挿入して前記スペーサの運動空間内に配置したフライヤを、前記火薬ホルダで保持する一段目の爆薬に隣接して設け、その一段目の爆薬の外側に点火素子を入れてから、その点火素子の電気接続端子を外部に引き出して前記ケースの入口を絶縁物で密閉する、ことを特徴とする。
【発明の効果】
【００１９】
請求項１に記載の発明によれば、点火素子を作動して一段目の爆薬を発火して後、そのエネルギを受けて二段目の爆薬を発火する二段階式爆薬点火装置において、点火素子を作動したとき、一段目の爆薬を爆ごうせずに爆燃し、その爆燃エネルギを受けてフライヤを加速して二段目の爆薬に衝突し、その二段目の爆薬を爆ごうするので、入力エネルギ（電気エネルギ）を爆ごうレベルに至らない爆燃レベルとし、入力エネルギの低減を実現することができる。
【００２０】
請求項２に記載の発明によれば、点火素子として薄膜抵抗体素子を使用するので、低感度爆薬を確実に爆燃することができる。
【００２１】
請求項３に記載の発明によれば、点火素子として半導体ブリッジ素子を使用するので、低感度爆薬を確実に爆燃することができる。
【００２２】
請求項４に記載の発明によれば、一段目の爆薬と二段目の爆薬との間に、フライヤの運動領域である運動空間を有するスペーサを備え、その運動空間内にフライヤを配置するので、一段目の爆薬が爆燃する際に発生する衝撃波を運動空間を通して高密度な状態でフライヤに伝え、最終的にはそのフライヤを介して二段目の爆薬に伝えることができる。
【００２３】
請求項５に記載の発明によれば、スペーサにフライヤを同一材料を用いて一体に形成するので、フライヤの位置を確実に固定することができ、かつ独立部品としてのフライヤをなくして部品点数を削減し、組立てを簡単とすることができる。
【００２４】
請求項６に記載の発明によれば、スペーサに、一段目の爆薬を保持する火薬ホルダを同一材料を用いて一体に形成するので、独立部品としての火薬ホルダをなくして部品点数を削減し、組立てを簡単とすることができる。
【００２５】
請求項７に記載の発明によれば、頂部を有するケース内に二段目の爆薬を入れ、次いでスペーサを介して火薬ホルダを挿入してスペーサの運動空間内に配置したフライヤを、火薬ホルダで保持する一段目の爆薬に隣接して設け、その一段目の爆薬の外側に点火素子を入れてから、その点火素子の電気接続端子を外部に引き出してケースの入口を絶縁物で密閉して二段階式爆薬点火装置を製造するので、入力エネルギ（電気エネルギ）を爆ごうレベルに至らない爆燃レベルとし、入力エネルギの低減を実現する二段階式爆薬点火装置を確実かつ簡単に得ることができる。
【発明を実施するための最良の形態】
【００２６】
以下、図面を参照しつつ、この発明を実施するための最良の形態につき説明する。
図１には、この発明による二段階式爆薬点火装置の縦断面を示す。
【００２７】
図中符号１０は、例えばステンレス製の、頂部１１を有する円筒状ケースである。ケース１０内には、まず底部入口１２から二段目の爆薬１４を充填する。二段目の爆薬１４としては、ＭＩＬ−Ｅ−８２９０３のＨＮＳ−ＩＶ（ヘキサニトロスチルベン−タイプＩＶ）やＭＩＬ−Ｅ−１４９７０のｃｏｍｐ−Ａ５（コンポジション−Ａ５）など、感度が鈍く、通常は二次爆薬として利用される爆薬を使用する。ここでは、ＨＮＳ−ＩＶを使用している。
【００２８】
次に、リング状のスペーサ１５を挿入して二段目の爆薬１４のまわりを押さえ、二段目の爆薬１４を保持する。スペーサ１５は、内部に、後述するフライヤ２１の運動領域である運動空間１６を有する。
【００２９】
次いで、スペーサ１５を介して火薬ホルダ１８を挿入する。火薬ホルダ１８には、中心孔に一段目の爆薬２０を充填する。その一段目の爆薬２０には、紫外線硬化樹脂により固着してフライヤ２１を隣接して設ける。そして、火薬ホルダ１８上に固定するフライヤ２１を、スペーサ１５の運動空間１６内に配置する。
【００３０】
火薬ホルダ１８としては、一段目の爆薬２０が燃焼したときの衝撃で大きな変形や消失を伴わない堅牢性を備えた材質で形成するとよく、ここではセラミックス製としている。
【００３１】
一段目の爆薬２０としては、ＨＮＳ−ＩＶやｃｏｍｐ−Ａ５など、感度が鈍く、通常は二次爆薬として利用される爆薬を使用する。ここでは、二段目の爆薬１４と同様のＨＮＳ−ＩＶを使用している。
【００３２】
フライヤ２１としては、二段目の爆薬１４の確実な爆ごうを保証すべく、一段目の爆薬２０が燃焼したときの衝撃で大きな変形や消失を伴わない堅牢性を備えた材質で形成するとよく、形状は任意であるが、ここでは円形の鋼鉄板を使用している。
【００３３】
その後、一段目の爆薬２０の外側に、それに面接触して点火素子２２を入れる。この点火素子２２としては、薄膜抵抗体素子（ＥＦＩ）や半導体ブリッジ素子（ＳＣＢ）などを使用する。そして、点火素子２２からは、不図示の駆動回路と電気接続する電気接続端子２３をのばす。電気接続端子２３としては、ここでは一対の導電性ピンを使用している。
【００３４】
それから、電気接続端子２３を外部に引き出してケース１０の入口１２を、ガラスやセラミックスなどの絶縁物２４でハーメチック処理して密閉する。
【００３５】
この発明による二段階式爆薬点火装置は、例えば上述のごとく構成する。そして、使用時は、不図示の駆動回路で点火素子２２に０．７Ｊの入力エネルギ（０．８kＶの電圧をコンデンサに充電）を与え、点火素子２２を作動したとき、一段目の爆薬２０を爆ごうせずに爆燃し、その爆燃エネルギを受けて運動空間１６を通してフライヤ２１を二段目の爆薬１４の方向に加速し、その二段目の爆薬１４に衝突して該二段目の爆薬１４を爆ごうする。
【００３６】
このように、点火素子２２を作動して一段目の爆薬２０を発火して後、そのエネルギを受けて二段目の爆薬１４を発火する二段階式爆薬点火装置において、一段目の爆薬２０を爆燃したときの爆燃エネルギを受けてフライヤ２１を加速して二段目の爆薬１４に衝突し、その二段目の爆薬１４を爆ごうするので、入力エネルギ（電気エネルギ）を爆ごうレベルに至らない爆燃レベルとし、入力エネルギの低減を実現することができる。
【００３７】
点火素子２２として薄膜抵抗体素子や半導体ブリッジ素子を使用するので、低感度爆薬を確実に爆燃することができる。また、一段目の爆薬２０と二段目の爆薬１４との間に、フライヤ２１の運動領域である運動空間１６を有するスペーサ１５を備え、その運動空間１６内にフライヤ２１を配置するので、一段目の爆薬２０が爆燃する際に発生する衝撃波を運動空間１６を通して高密度な状態でフライヤ２１に伝え、最終的にはそのフライヤ２１を介して二段目の爆薬１４に伝えることができる。
【００３８】
図２には、この発明による二段階式爆薬点火装置の他例の縦断面を示す。
【００３９】
この図２に示す例では、図１に示す二段階式爆薬点火装置で用いるリング状のスペーサ１５に代えて、一段目の爆薬２０と二段目の爆薬１４との間に円板のスペーサ１５を備える。その円板１５の貫通中心孔を、フライヤ２１の運動領域である運動空間１６とし、その運動空間１６内に、一段目の爆薬２０上に設けてフライヤ２１を配置する。その他は、図１に示す二段階式爆薬点火装置と同様であり、図１の例の対応部分に使用した符号をそのまま使用して説明を省略する。
【００４０】
そして、使用時は、同様に、不図示の駆動回路で点火素子２２に０．７Ｊの入力エネルギ（０．８kＶの電圧をコンデンサに充電）を与え、点火素子２２を作動して一段目の爆薬２０を爆ごうせずに爆燃し、その爆燃エネルギを受けて運動空間１６を通してフライヤ２１を二段目の爆薬１４の方向に加速し、その二段目の爆薬１４に衝突して該二段目の爆薬１４を爆ごうする。
【００４１】
これにより、同様に、点火素子２２を作動して一段目の爆薬２０を発火して後、そのエネルギを受けて二段目の爆薬１４を発火する二段階式爆薬点火装置において、一段目の爆薬２０を爆燃したときの爆燃エネルギを受けてフライヤ２１を加速して二段目の爆薬１４に衝突し、その二段目の爆薬１４を爆ごうするので、入力エネルギ（電気エネルギ）を爆ごうレベルに至らない爆燃レベルとし、入力エネルギの低減を実現することができる。
【００４２】
図３には、この発明による二段階式爆薬点火装置のさらに他例の縦断面を示す。
【００４３】
この図３に示す例では、一段目の爆薬２０と二段目の爆薬１４との間に円板のスペーサ１５を備え、その中心穴を、フライヤ２１の運動領域である運動空間１６とする。そして、フライヤ２１は、スペーサ１５に同一材料を用いて一体に形成し、火薬ホルダ１８で保持する一段目の爆薬２０に隣接して運動空間１６内に配置する。その他は、図１に示す二段階式爆薬点火装置と同様であり、同じく図１の例の対応部分に使用した符号をそのまま使用して説明を省略する。
【００４４】
図４には、スペーサ１５の製造工程の一例を示す。
【００４５】
スペーサ１５としては、一段目の爆薬２０が燃焼したときの衝撃で大きな変形や消失を伴わない堅牢性を備えた材質で形成する。ここでは、（Ａ）に示すように、鋼鉄製の円板２８を使用する。そして、（Ｂ）に示すように、その円板２８の中心を片面側から厚さ方向に切削し、他面側に一定の厚さｔ１の残部３０を残して中心穴をあけ、運動空間１６を形成する。その後、（Ｃ）に示すように、中心穴の内周に沿って残部３０の周囲を切削して、まわりに薄肉部３１を有するフライヤ２１をスペーサ１５に同一材料を用いて一体に形成する。
【００４６】
そして、図３に示す爆薬点火装置の使用時は、同様に、不図示の駆動回路で点火素子２２に０．７Ｊの入力エネルギ（０．８kＶの電圧をコンデンサに充電）を与え、点火素子２２を作動して一段目の爆薬２０を爆ごうせずに爆燃し、その爆燃エネルギを受けて薄肉部３１で切断し、運動空間１６を通してフライヤ２１を二段目の爆薬１４の方向に加速し、その二段目の爆薬１４に衝突して該二段目の爆薬１４を爆ごうする。
【００４７】
この図３および図４に示す例によっても、点火素子２２を作動して一段目の爆薬２０を発火して後、そのエネルギを受けて二段目の爆薬１４を発火する二段階式爆薬点火装置において、一段目の爆薬２０を爆燃したときの爆燃エネルギを受けてフライヤ２１を加速して二段目の爆薬１４に衝突し、その二段目の爆薬１４を爆ごうするので、入力エネルギ（電気エネルギ）を爆ごうレベルに至らない爆燃レベルとし、入力エネルギの低減を実現することができる。
【００４８】
また、スペーサ１５にフライヤ２１を同一材料を用いて一体に形成するので、フライヤ２１の位置を確実に固定することができ、かつ独立部品としてのフライヤ２１をなくして部品点数を削減し、組立てを簡単とすることができる。
【００４９】
図５には、この発明による二段階式爆薬点火装置のまたさらに他例の縦断面を示す。
【００５０】
この図５に示す例では、一段目の爆薬２０と二段目の爆薬１４との間に円板のスペーサ１５を備え、その中心穴を、フライヤ２１の運動領域である運動空間１６とする。そして、図３および図４に示す例と同様に、スペーサ１５には、フライヤ２１を同一材料を用いて一体に形成し、運動空間１６内に配置する。同時に、一段目の爆薬２０を保持する火薬ホルダ１８も同一材料を用いて一体に形成する。フライヤ２１は、一段目の爆薬２０に隣接して設ける。この例でも、その他は、図１に示す二段階式爆薬点火装置と同様であり、同じく図１の例の対応部分に使用した符号をそのまま使用して説明を省略する。
【００５１】
図６には、フライヤ２１と火薬ホルダ１８を一体に設けたスペーサ１５の製造工程の他例を示す。
【００５２】
スペーサ１５としては、同様に（Ａ）に示すように、鋼鉄製の円板２８を使用する。そして、（Ｂ）に示すように、その円板２８の中心を表面側から厚さ方向に途中まで切削し、中心穴をあけて運動空間１６を形成するとともに、円板２８の中心を裏面側からも厚さ方向に切削して中間に一定の厚さｔ２の中間残部３２を残し、火薬収納穴３３を形成する。その後、（Ｃ）に示すように、中心穴の内周に沿って中間残部３２の周囲を切削して、まわりに薄肉部３４を有するフライヤ２１をスペーサ１５に同一材料を用いて一体に形成する。同時に、一段目の爆薬２０を保持する火薬ホルダ１８を同一材料を用いて一体に形成し、火薬収納穴３３には後に一段目の爆薬２０を充填する。
【００５３】
この図５および図６に示す例によっても、点火素子２２を作動して一段目の爆薬２０を発火して後、そのエネルギを受けて二段目の爆薬１４を発火する二段階式爆薬点火装置において、一段目の爆薬２０を爆燃したときの爆燃エネルギを受けて薄肉部３４で切断し、フライヤ２１を加速して運動空間１６を通して二段目の爆薬１４に衝突し、その二段目の爆薬１４を爆ごうするので、入力エネルギ（電気エネルギ）を爆ごうレベルに至らない爆燃レベルとし、入力エネルギの低減を実現することができる。
【００５４】
また、スペーサ１５にフライヤ２１を同一材料を用いて一体に形成するので、フライヤ２１の位置を確実に固定することができ、かつスペーサ１５に火薬ホルダ１８も同一材料を用いて一体に形成するので、独立部品としてのフライヤ２１とともに火薬ホルダ１８もなくして部品点数を削減し、組立てを簡単とすることができる。
【００５５】
ところで、上述した例では、円板２８の中心に切削により中心穴を設けて運動空間１６を形成したが、切削加工に限らず、プレス加工や鋳造などによっても運動空間１６を形成することができる。
【図面の簡単な説明】
【００５６】
【図１】この発明による二段階式爆薬点火装置の縦断面図である。
【図２】この発明による二段階式爆薬点火装置の他例の縦断面図である。
【図３】この発明による二段階式爆薬点火装置のさらに他例の縦断面図である。
【図４】スペーサの製造工程の一例の工程図である。
【図５】この発明による二段階式爆薬点火装置のまたさらに他例の縦断面図である。
【図６】加速体と火薬ホルダを一体に設けたスペーサの製造工程の他例の工程図である。
【図７】従来の二段階式爆薬点火装置の縦断面図である。
【符号の説明】
【００５７】
１０    ケース
１１    ケースの頂部
１４    二段目の爆薬
１５    スペーサ
１６    運動空間
１８    火薬ホルダ
２０    一段目の爆薬
２１    フライヤ
２２    点火素子
２３    電気接続端子
２４    絶縁物
【図１】
2005155968.tif 000003
【図２】
2005155968.tif 000004
【図３】
2005155968.tif 000005
【図４】
2005155968.tif 000006
【図５】
2005155968.tif 000007
【図６】
2005155968.tif 000008
【図７】
2005155968.tif 000009